(57)【特許請求の範囲】
【請求項１】
第１時刻を表示する第１時刻針を動作させるメイン輪列と、
計測時間を表示するクロノグラフモード、及び前記第１時刻とは異なる第２時刻を表示するデュアルタイムモードの何れかを切り替えて表示するサブダイヤル針を動作させる切替機構と、を備え、
前記切替機構は、
前記サブダイヤル針を動作させるサブ輪列と、
前記サブ輪列を駆動させるサブモータと、を備え、
前記クロノグラフモード及び前記デュアルタイムモードに応じて前記サブモータの周波数を変更し、
前記サブ輪列は、
前記サブダイヤル針のうち第１サブダイヤル針を動作させる第１サブ輪列と、
前記サブダイヤル針のうち第２サブダイヤル針を動作させる第２サブ輪列と、を有し、
前記サブモータは、サブ五番車を介して前記第１サブ輪列及び前記第２サブ輪列の双方に接続され、
前記第１サブ輪列及び前記第２サブ輪列には、前記第１サブダイヤル針及び前記第２サブダイヤル針が互いに平行に延びる軸線上でそれぞれ回転可能に取り付けられることを特徴とする表示機構。
【請求項２】
前記クロノグラフモード及び前記デュアルタイムモードのモード切替に応じて動作するモード表示針を動作させるモード表示輪列を備えていることを特徴とする請求項１に記載の表示機構。
【請求項３】
請求項１または請求項２に記載の表示機構を備えていることを特徴とするムーブメント。
【請求項４】
請求項３に記載のムーブメントを備えることを特徴とする時計。
【発明の詳細な説明】
【技術分野】
【０００１】
本発明は、表示機構、ムーブメント及び時計に関する。
【背景技術】
【０００２】
従来から、クロノグラフ機能やデュアルタイム機能が搭載された時計が知られている。この種の時計では、文字板のうち、メインダイヤルに第１時刻（例えば、ホームタイム）に関する情報を表示するとともに、メインダイヤルとは別に設けられたサブダイヤルに上述した各種機能に関する情報を表示している。
【０００３】
ここで、例えば、下記特許文献１には、クロノグラフ機能による計測時間を表示するサブダイヤルと、デュアルタイム機能による第２時刻（例えば、ローカルタイム）を表示するサブダイヤルと、のそれぞれを文字板に設ける構成が開示されている。
【先行技術文献】
【特許文献】
【０００４】
【特許文献１】特開２０１５−１６９４９８号公報
【発明の概要】
【発明が解決しようとする課題】
【０００５】
しかしながら、上述した特許文献１では、クロノグラフ機能及びデュアルタイム機能のそれぞれを別のサブダイヤルで表示しているため、サブダイヤルの増加に繋がる。その結果、部品点数の増加に繋がる。また、部品を配置するスペースが限られてしまい、文字板上でのレイアウトに制約が生じ、視認性の低下に繋がるという課題がある。
【０００６】
本発明は、このような事情に考慮してなされたもので、その目的は、部品点数の削減を図るとともに、文字板上でのレイアウトの自由度を向上させ、視認性の低下を抑制した上で、機能性に優れた表示機構、ムーブメント及び時計を提供することである。
【課題を解決するための手段】
【０００７】
上記課題を解決するために本発明の一態様に係る表示機構は、第１時刻を表示する第１時刻針を動作させるメイン輪列と、計測時間を表示するクロノグラフモード、及び前記第１時刻とは異なる第２時刻を表示するデュアルタイムモードの何れかを切り替えて表示するサブダイヤル針を動作させる切替機構と、を備えている。
【０００８】
本態様によれば、クロノグラフモード及びデュアルタイムモードを同一のサブダイヤル針を用いて表示するため、従来のように各モードに応じてサブダイヤルを設ける必要がない。これにより、部品点数の削減を図るとともに、文字板上でのレイアウトの自由度を向上させることができる。また、サブダイヤルの追加に伴う視認性の低下を抑制した上で、機能性を向上させることができる。
【０００９】
上記態様において、前記切替機構は、前記サブダイヤル針を動作させるサブ輪列と、前記サブ輪列を駆動させるサブモータと、を備え、前記切替機構は、前記クロノグラフモード及び前記デュアルタイムモードに応じて前記サブモータの周波数を変更してもよい。
本態様によれば、サブモータの周波数を各モードで異ならせることで、１つのサブモータによって各モードに応じた最適な周期でサブダイヤル針を動作させることができる。これにより、簡素化や低コスト化を図るとともに、小型化を図ることができる。
【００１０】
上記態様において、前記サブ輪列は、前記サブダイヤル針のうち第１サブダイヤル針を動作させる第１サブ輪列と、前記サブダイヤル針のうち第２サブダイヤル針を動作させる第２サブ輪列と、を有し、前記サブモータは、サブ五番車を介して前記第１サブ輪列及び前記第２サブ輪列の双方に接続されていてもよい。
本態様によれば、各サブ輪列がサブ五番車を介してサブモータに接続されているため、各サブダイヤル針それぞれを１つのサブモータにより回転させることができる。これにより、各サブ輪列を別々のサブモータにより回転させる場合に比べて簡素化や低コスト化を図るとともに、小型化を図ることができる。
【００１１】
上記態様において、前記第１サブ輪列及び前記第２サブ輪列には、前記第１サブダイヤル針及び前記第２サブダイヤル針が互いに平行に延びる軸線上でそれぞれ回転可能に取り付けられていてもよい。
本態様によれば、サブダイヤル針が互いに平行に延びる軸線上を回転可能に、サブ輪列に取り付けられているため、各サブダイヤル針の視認性を向上させることができる。
【００１２】
上記態様において、前記第１サブ輪列及び前記第２サブ輪列には、前記第１サブダイヤル針及び前記第２サブダイヤル針が同軸上で相対回転可能に取り付けられていてもよい。
本態様によれば、各サブダイヤル針が同軸上に延びる軸線上を回転可能に、各サブ輪列に取り付けられているため、文字板上におけるレイアウトの自由度をさらに向上させることができる。
【００１３】
上記態様において、前記クロノグラフモード及び前記デュアルタイムモードのモード切替に応じて動作するモード表示針を動作させるモード表示輪列を備えていてもよい。
本態様によれば、モード切替に応じて動作するモード表示針を動作させるモード表示輪列を備えているため、現在のモードを速やかに判断でき、使い勝手を向上させることができる。
【００１４】
本発明の一態様に係るムーブメントは、上記態様の表示機構を備えていてもよい。
本発明の一態様に係る時計は、上記態様のムーブメントを備えていてもよい。
本態様によれば、上記本態様の表示機構を備えているため、部品点数の削減を図るとともに、文字板上でのレイアウトの自由度を向上させるとともに、視認性の低下を抑制した上で、機能性に優れたムーブメント及び時計を提供できる。
【発明の効果】
【００１５】
本発明によれば、部品点数の削減を図るとともに、文字板上でのレイアウトの自由度を向上させ、視認性の低下を抑制した上で、機能性に優れた表示機構、ムーブメント及び時計を提供できる。
【図面の簡単な説明】
【００１６】
【図１】第１実施形態に係る時計（クロノグラフモード）の外観図である。
【図２】第１実施形態に係る時計（デュアルモード）の外観図である。
【図３】第１実施形態に係るムーブメントを表側から見た平面図である。
【図４】第１実施形態に係るムーブメントを裏側から見た平面図である。
【図５】図４のＶ−Ｖ線に相当する断面図である。
【図６】図４のＶＩ−ＶＩ線に相当する断面図である。
【図７】図４のＶＩＩ−ＶＩＩ線に相当する断面図である。
【図８】時計のブロック図である。
【図９】第２実施形態に係る時計（クロノグラフモード）の外観図である。
【図１０】第２実施形態に係る時計（デュアルモード）の外観図である。
【図１１】第２実施形態に係るムーブメントの断面図である。
【発明を実施するための形態】
【００１７】
以下、本発明に係る実施形態について図面を参照して説明する。
［時計］
図１は、クロノグラフモードを示す時計１の外観図である。図２は、デュアルタイムモードを示す時計１の外観図である。なお、以下に示す各図では、図面を見やすくするため、時計用部品のうち一部の図示を省略しているとともに、各時計用部品を簡略化して図示している場合がある。
図１、図２に示すように、本実施形態の時計１は、いわゆるアナログクォーツ式の時計である。本実施形態の時計１には、時間計測が可能なクロノグラフモード（図１参照）と、異なる時刻を表示するデュアルタイムモード（図２参照）と、の双方の機能が搭載されている。なお、以下の説明では、「クロノグラフ」を単に「ＣＧ」といい、「デュアルタイム」を単に「ＤＴ」という。
【００１８】
時計１は、ムーブメント２や文字板３、各種指針４〜９等が時計ケース１０内に組み込まれて構成されている。
文字板３上には、メインダイヤル１１と、複数のサブダイヤル（第１サブダイヤル１２及び第２サブダイヤル１３）と、モード表示部１４と、が付されている。
メインダイヤル１１は、例えばホームタイム（第１時刻）を表示する。メインダイヤル１１は、複数の目盛りが文字板３における外周部分に沿って環状に付されて構成されている。
【００１９】
各サブダイヤル１２，１３は、ＤＴモードのローカルタイム（第２時刻）及びＣＧモードによる計測時間の何れかを表示する。各サブダイヤル１２，１３のうち、第１サブダイヤル１２は、文字板３上においてメインダイヤル１１の６時位置（図１における下側）に配置されている。一方、第２サブダイヤル１３は、文字板３上においてメインダイヤル１１の９時位置（図１における左側）に配置されている。各サブダイヤル１２，１３は、複数の目盛りが環状に付されて構成されている。なお、メインダイヤル１１にローカルタイムを表示し、サブダイヤル１２，１３にホームタイムを表示しても構わない。
【００２０】
モード表示部１４は、ＤＴモード及びＣＧモードのうち、現在のモードを表示する。モード表示部１４は、文字板３上においてメインダイヤル１１の１２時位置（図１における上側）に配置されている。モード表示部１４は、ＣＧモードを示す「ＣＨＲＯ」と、ＤＴモードを示す「ＤＵＡＬ」と、が付されて構成されている。なお、文字板３においてメインダイヤル１１の３時位置（図１における右側）には、日付を表す数字が視認可能な日窓１６が形成されている。また、文字板３上におけるダイヤル等のレイアウトは、適宜変更が可能である。
【００２１】
上述した指針４〜９は、メインダイヤル１１を指し示す時刻針（時針４、分針５及び秒針６）と、各サブダイヤル１２，１３を指し示すＣＧ針（秒ＣＧ針７及び分ＣＧ針８）と、モード表示部１４を指し示すモード表示針９と、を有している。
時刻針（第１時刻針）４〜６は、時計１の中心軸周りに回転可能に構成されている。
各ＣＧ針（第１サブダイヤル針、第２サブダイヤル針）７，８は、中心軸に対して互いに平行に延びる軸線周りに回転可能に構成されている。
モード表示針９は、中心軸に対して平行に延びる軸線周りに回動可能に構成されている。具体的に、モード表示針９は、モード表示部１４における「ＣＨＲＯ」を指し示すＣＧ表示位置と、モード表示部１４における「ＤＵＡＬ」を指し示すＤＴ表示位置と、の間を回動する。
【００２２】
時計ケース１０は、ケース本体２１と、ケース蓋（不図示）と、カバーガラス２２と、を備えている。ケース本体２１の側面のうち、メインダイヤル１１の３時位置（図１の右側）にはりゅうず２３が設けられている。りゅうず２３は、ケース本体２１の外側からムーブメント２を操作するためのものである。りゅうず２３は、ケース本体２１内に挿通された巻真２４に固定されている。
【００２３】
また、ケース本体２１の側面のうち、メインダイヤル１１の２時位置及び４時位置には、操作スイッチ２６が設けられている。操作スイッチ２６は、ＣＧモードにおいて、計測開始及び計測停止の動作や、初期位置へのリセット動作（帰零動作）等に用いられる。また、操作スイッチ２６は、ＤＴモードにおいて、時刻の修正動作等に用いられる。さらに、操作スイッチ２６は、巻真２４とともに、ＣＧモード及びＤＴモード間のモード切替動作に用いられる。
【００２４】
［ムーブメント］
図３は、ムーブメント２を表側から見た平面図である。図４は、ムーブメント２を裏側から見た平面図である。図５は、図４のＶ−Ｖ線に相当する断面図である。なお、以下の説明では、ムーブメント２の基板を構成する地板３１に対して時計ケース１０のカバーガラス２２側（文字板３側）をムーブメント２の「裏側」と称し、ケース蓋側（文字板３側とは反対側）をムーブメント２の「表側」と称する。また、以下の説明では、ムーブメント２のうち、表裏面方向に直交する方向を面内方向という場合がある。以下で説明する各車は、何れもムーブメント２の表裏面方向を軸方向として設けられている。
【００２５】
図３〜図５に示すように、ムーブメント２は、地板３１を備えている。図３に示すように、地板３１に対して表側には、配置されたスイッチバネ３２や複数の表輪列受３３（例えば、輪列受Ａ，Ｂ等）が配置されている。図５に示すように、地板３１に対して裏側には、裏輪列受３４（例えば、第２輪列受等）が配置されている。
図３、図４に示すように、地板３１の図示しない巻真案内穴には、上述した巻真２４が組み込まれている。巻真２４は、日付や時刻の修正動作、モード切替動作等に用いられる。巻真２４は、その軸線周りに回転可能、かつ軸方向に移動可能とされている。巻真２４の先端部（りゅうず２３側とは反対側の端部）は、ムーブメント２に連係されている。
【００２６】
図３に示すように、ムーブメント２の表側には、電池４１や水晶ユニット４２、回路ブロック１００（図８参照）、メインモータ４３、サブモータ４４、モード表示モータ４５等が配設されている。
電池４１は、円板状をなした、いわゆるボタン電池である。
水晶ユニット４２は、所定の周波数で発振する水晶振動子がパッケージ内に収容されて構成されている。なお、電池４１や水晶ユニット４２、回路ブロック１００等は、スイッチバネ３２によって表側から保持されている。
【００２７】
各モータ４３〜４５は、例えばステッピングモータである。各モータ４３〜４５は、回路ブロック１００に搭載されたＣＰＵ１０３（図８参照）から出力される駆動信号（駆動パルス）に応じて回転する。
【００２８】
図６は、図４のＶＩ−ＶＩ線に相当する断面図である。
図６に示すように、上述したサブモータ４４は、コイルブロック５１と、ステータ５２と、ロータ５３と、を有している。
ロータ５３の内部には、ロータ磁石５６が組み込まれている。ロータ５３は、ステータ５２に形成されたロータ孔５７を貫通し、地板３１及び表輪列受３３に回転可能に支持されている。
【００２９】
図７は、図４のＶＩＩ−ＶＩＩ線に相当する断面図である。
図７に示すように、上述したモード表示モータ４５は、サブモータ４４と同様に、コイルブロック６１と、ステータ６２と、ロータ６３と、を有している。なお、モード表示モータ４５におけるロータ磁石５６には、サブモータ４４と同一の符号を付している。
ロータ６３は、ステータ６２に形成されたロータ孔６４を貫通し、地板３１及び表輪列受３３に回転可能に支持されている。
【００３０】
図３に示すように、メインモータ４３は、上述した各モータ４４，４５と同様に、コイルブロック６５と、ステータ（不図示）と、ロータ（不図示）と、を有している。
【００３１】
図３に示すように、ムーブメント２の表側には、各モータ４３〜４５に各別に接続された五番車（メイン五番車（不図示）、サブ五番車７１及びモード表示五番車７２（図４参照））が配設されている。各五番車７１，７２は、それぞれ地板３１及び表輪列受３３に回転可能に支持されている。
メイン五番車は、メインモータ４３におけるロータの回転に基づいて回転する。メイン五番車は、ムーブメント２の表側に配列された表輪列（不図示）にメインモータの回転力を伝達する。なお、表輪列は、四番車、三番車及び二番車（何れも不図示）を含んでいる。表輪列のうち、四番車には上述した秒針６（図１参照）が取り付けられている。二番車には、分針５（図１参照）が取り付けられている。
【００３２】
図６に示すように、サブ五番車７１は、サブモータ４４におけるロータ５３の回転に基づいて回転する。具体的に、サブ五番車７１の五番歯車には、サブモータ４４におけるロータ５３のロータかなが噛合している。
図７に示すように、モード表示五番車７２は、モード表示モータ４５におけるロータ６３の回転に基づいて回転する。具体的に、モード表示五番車７２の五番歯車には、モード表示モータ４５におけるロータ６３のロータかなが噛合している。
【００３３】
図４に示すように、ムーブメント２の裏側には、裏輪列７３やＣＧ輪列７５、モード表示輪列７６等が配設されている。
裏輪列７３は、筒車７７を含んでいる。筒車７７には、上述した時針４（図１参照）が取り付けられている。
【００３４】
図４、図５に示すように、ＣＧ輪列（サブ輪列）７５は、秒ＣＧ輪列（第１サブ輪列）８１と、分ＣＧ輪列（第２サブ輪列）８２と、を有している。なお、ＣＧ輪列７５を構成する各車は、何れも地板３１及び裏輪列受３４に回転可能に支持されている。
【００３５】
秒ＣＧ輪列８１は、第１秒ＣＧ中間車８３と、第２秒ＣＧ中間車８４と、秒ＣＧ車８５と、を備えている。
第１秒ＣＧ中間車８３は、サブ五番車７１の五番かなに噛合している。
第２秒ＣＧ中間車８４は、第１秒ＣＧ中間車８３に噛合している。
秒ＣＧ車８５の秒ＣＧ歯車８５ａは、第２秒ＣＧ中間車８４に噛合している。秒ＣＧ車８５における秒ＣＧ真８５ｂの裏側端部は、裏輪列受３４を貫通して文字板３よりも裏側に突出している。秒ＣＧ真８５ｂの裏側端部のうち、文字板３よりも裏側に位置する部分には、上述した秒ＣＧ針７（図１参照）が取り付けられている。
【００３６】
なお、秒ＣＧ輪列８１は、ＣＧモードにおいて、秒ＣＧ針７（秒ＣＧ車８５）が６０秒で一回転するように、歯数比が設定されている。この場合、秒ＣＧ輪列８１は、ロータ５３（ロータかな）に対する秒ＣＧ車８５（秒ＣＧ歯車）の歯数比が１／３０に設定されている。
【００３７】
分ＣＧ輪列８２は、第１分ＣＧ中間車９１と、第２分ＣＧ中間車９２と、分ＣＧ車９３と、を備えている。
第１分ＣＧ中間車９１の第１分ＣＧ中間歯車は、サブ五番車７１における五番かなに噛合している。
第２分ＣＧ中間車９２の第２分ＣＧ中間歯車は、第１分ＣＧ中間車９１の第１分ＣＧ中間かなに噛合している。
【００３８】
分ＣＧ車９３の分ＣＧ歯車９３ａは、第２分ＣＧ中間車９２の第２分ＣＧ中間かなに噛合している。秒ＣＧ車９３における分ＣＧ真９３ｂの裏側端部は、裏輪列受３４を貫通して文字板３よりも裏側に突出している。分ＣＧ真９３ｂの裏側端部のうち、文字板３よりも裏側に位置する部分には、上述した分ＣＧ針８（図１参照）が取り付けられている。
【００３９】
分ＣＧ輪列８２は、ＣＧモードにおいて、分ＣＧ針８（分ＣＧ車９３）が１２分で一回転するように、歯数比が設定されている。この場合、分ＣＧ輪列８２は、ロータ５３（ロータかな）に対する分ＣＧ車９３（分ＣＧ歯車）の歯数比が１／３６０に設定されている。
【００４０】
このように、本実施形態では、秒ＣＧ車８５及び分ＣＧ車９３それぞれにおいて、ロータ５３（ロータかな）に対する歯数比を異ならせることで、１つのサブモータ４４によって秒ＣＧ車８５及び分ＣＧ車９３の周期を異ならせることができる。なお、各ＣＧ輪列７５において、各車の歯数等は、適宜変更が可能である。
【００４１】
図７に示すように、モード表示輪列７６は、第１モード表示中間車９５と、第２モード表示中間車９６と、モード表示車９７と、を有している。なお、モード表示輪列７６を構成する各車は、何れも地板３１及び裏輪列受３４に回転可能に支持されている。
第１モード表示中間車９５は、モード表示五番車７２に噛合している。
第２モード表示中間車９６は、第１モード表示中間車９５に噛合している。
【００４２】
モード表示車９７のモード表示歯車９７ａは、第２モード表示中間車９６に噛合している。モード表示車９７におけるモード表示真９７ｂの裏側端部は、裏輪列受３４を貫通して文字板３よりも裏側に突出している。モード表示真９７ｂの裏側端部のうち、文字板３よりも裏側に位置する部分には、上述したモード表示針９（図１参照）が取り付けられている。
【００４３】
モード表示輪列７６は、モード表示モータ４５の駆動により、モード表示針９をＣＧ表示位置とＤＴ表示位置との間で回動させる。すなわち、図１に示すＣＧ表示位置では、モード表示針９がモード表示部１４における「ＣＨＲＯ」を指し示す。一方、図２に示すＤＴ表示位置では、モード表示針９がモード表示部１４における「ＤＵＡＬ」を指し示す。なお、モード表示輪列７６の構成は、モード表示部１４のレイアウト等に応じて適宜変更が可能である。
【００４４】
図８は、時計１のブロック図である。
図８に示すように、上述した回路ブロック１００には、発振回路１０１や分周回路１０２、ＣＰＵ（Ｃｅｎｔｒａｌ  Ｐｒｏｃｅｓｓｉｎｇ  Ｕｎｉｔ）１０３、記憶部１０４、操作入力部１０５等が搭載されている。
発振回路１０１は、推奨ユニットの振動に基づいて基準信号をＣＰＵ１０３に出力する。
分周回路１０２は、発振回路の出力信号を分周して計時の基準となる時計信号をＣＰＵ１０３に出力する。
記憶部１０４は、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等により構成されている。記憶部１０４には、ＣＰＵ１０３が実行するプログラムや、時計１の各部が用いるデータ等が記憶されている。
操作入力部１０５は、上述したりゅうず２３（巻真２４）や操作スイッチ２６の操作を検出し、ＣＰＵ１０３に向けて操作信号を出力する。
【００４５】
ＣＰＵ１０３は、制御部１１０を備えている。制御部１１０は、発振回路１０１や分周回路１０２、操作入力部１０５から出力される信号、及び記憶部１０４に記憶されたデータに基づいて時計１の各部の制御を統括して行う。制御部１１０は、例えばホームタイム制御部やモード判断部、モード制御部等を有している。
ホームタイム制御部は、分周回路１０２から出力される時計信号に基づいてメインモータ４３に対して駆動信号を出力する。
モード判断部は、操作入力部１０５の操作に基づいて、ＣＧモード及びＤＴモードの中から選択されたモードを判断する。
【００４６】
モード制御部は、モード判断部の判断結果に基づいてモード表示モータ４５に駆動信号を出力する。また、モード制御部は、モード判断部の判断結果に基づいて各モードに応じた駆動信号をサブモータ４４に出力する。
【００４７】
ここで、本実施形態において、モード制御部は、ＣＧモード及びＤＴモードに応じてサブモータ４４に印加するパルスの周波数を異ならせている。具体的に、ＣＧモードでは、サブモータ４４が１秒ごとに１ステップ（１Ｈｚ）回転するように、モード制御部からサブモータ４４に駆動信号が出力される。この場合、分ＣＧ針８（分ＣＧ車９３）は、サブモータ４４の駆動により１２分で一回転する。また、秒ＣＧ針７（秒ＣＧ車８５）は、サブモータ４４の駆動により６０秒で一回転する。
【００４８】
一方、ＤＴモードでは、サブモータ４４が１分ごとに１ステップ（１／６０Ｈｚ）回転するように、モード制御部からサブモータ４４に駆動信号が出力される。この場合、分ＣＧ針８（分ＣＧ車９３）は、サブモータ４４の駆動により１２時間で一回転する。また、秒ＣＧ針７（秒ＣＧ車８５）は、サブモータ４４の駆動により６０分で一回転する。なお、上述したムーブメント２において、ＣＧ輪列７５やサブモータ４４、制御部１１０等は、ＣＧモード及びＤＴモードにおいてＣＧ針７，８を動作させる切替機構を構成している。また、ムーブメント２において、上述した切替機構の他、ホームタイムを表示する表輪列や筒車７７等のメイン輪列、モード表示輪列７６等によって、本実施形態の表示機構を構成している。
【００４９】
［時計の動作方法］
次に、上述した時計１の動作方法について説明する。以下の説明では、ＣＧモード及びＤＴモードの動作について主に説明する。なお、以下の説明では、予めＣＧモードが設定されている状態を初期状態とする。具体的に、初期状態では、モード表示針９がモード表示部１４の「ＣＨＲＯ」を指し示し、各ＣＧ針７，８がサブダイヤル１２，１３の初期位置を指し示している。
＜ＣＧモード＞
ＣＧモードにおいて、時間計測を行う場合には、まず一方の操作スイッチ２６を押下する。すると、ＣＰＵ１０３は、ＣＧモードに応じた駆動信号をサブモータ４４に出力する。これにより、サブモータ４４は、１秒ごとに１ステップずつ回転する。
【００５０】
サブモータ４４が回転すると、この回転力がロータ５３を介してサブ五番車７１に伝達されることで、サブ五番車７１が回転する。サブ五番車７１が回転すると、この回転力がＣＧ輪列７５に伝達されることで、秒ＣＧ車８５及び分ＣＧ車９３が回転する。これにより、秒ＣＧ針７及び分ＣＧ針８が秒ＣＧ車８５及び分ＣＧ車９３とともに回転する。
【００５１】
ここで、本実施形態では、秒ＣＧ車８５及び分ＣＧ車９３それぞれにおいて、ロータ５３（ロータかな）に対する歯数比が異なっている。そのため、秒ＣＧ車８５及び分ＣＧ車９３が異なる周期で回転する。具体的に、分ＣＧ針８は１２分で一回転する。また、秒ＣＧ針７は６０秒で一回転する。これにより、時間計測を行うことができる。なお、例えば一方の操作スイッチ２６を再度押下することで、時間計測を停止させることができる。また、他方の操作スイッチ２６を押下することで、帰零動作を行うことができる。
【００５２】
＜切替動作＞
次に、各モードの切替動作について説明する。以下の説明では、ＣＧモードからＤＴモードへの切替動作を例にして説明する。
切替動作を行う場合には、例えばりゅうず２３を２段位置まで引き出した状態で、各操作スイッチ２６を同時に押下する。すると、操作入力部１０５からＣＰＵ１０３に操作信号が出力される。モード判断部は、操作入力部１０５からの操作信号を受け付けると、ＤＴモードへのモード切替信号をモード制御部に出力する。なお、切替動作の操作方法は、適宜変更が可能である。
【００５３】
モード制御部は、モード切替信号に基づき、モード表示モータ４５に向けて駆動信号を出力する。これにより、モード表示モータ４５が回転する。モード表示モータ４５が回転すると、この回転力がモード表示五番車７２を介してモード表示輪列７６に伝達されることで、モード表示輪列７６がそれぞれ回転する。すると、モード表示針９がＣＧ表示位置からＤＴ表示位置に向けて回動する。
【００５４】
一方、モード制御部は、モード切替信号に基づき、ＤＴモード情報を記憶部１０４から読み出し、秒ＣＧ針７及び分ＣＧ針８が初期位置からローカルタイムまで移動するためのサブモータ４４の駆動信号を生成する。サブモータ４４は、モード制御部で生成された駆動信号に基づいて回転する。なお、ＤＴモード情報とは、例えば、ホームタイムの現在時刻との時差や、ローカルタイムの現在時刻自体等の情報を用いることができる。
【００５５】
サブモータ４４が回転すると、この回転力がサブ五番車７１を介してＣＧ輪列７５に伝達されることで、秒ＣＧ車８５及び分ＣＧ車９３が回転する。これにより、秒ＣＧ針７及び分ＣＧ針８が秒ＣＧ車８５及び分ＣＧ車９３とともに回転し、現在のローカルタイムを指し示す。なお、操作スイッチ２６等の操作に基づいてサブモータ４４を駆動させ、ローカルタイムの時調整を行っても構わない。この場合、切替動作の際に、分表示を行う秒ＣＧ針７をローカルタイムに移動させ、時表示を行う分ＣＧ針８を操作スイッチ２６等を用いて移動させても構わない。
【００５６】
＜ＤＴモード＞
ＤＴモードにおいて、ＣＰＵ１０３は、ＤＴモードに応じた駆動信号をサブモータ４４に出力する。これにより、サブモータ４４は、１分ごとに１ステップずつ回転する。サブモータ４４が回転すると、この回転力がサブ五番車７１を介してＣＧ輪列７５に伝達されることで、秒ＣＧ車８５及び分ＣＧ車９３が回転する。これにより、秒ＣＧ針７及び分ＣＧ針８が秒ＣＧ車８５及び分ＣＧ車９３とともに回転する。
【００５７】
ここで、ＤＴモードにおいて、サブモータ４４が１分ごとに１ステップ回転することで、分ＣＧ針８は１２時間で一回転する。また、秒ＣＧ針７は６０分で一回転する。これにより、ローカルタイムを表示することができる。
【００５８】
このように、本実施形態では、ＣＧモード及びＤＴモードを同一のＣＧ針７，８を用いて表示するため、従来のように各モードに応じてサブダイヤルを設ける必要がない。これにより、部品点数の削減を図るとともに、文字板３上でのレイアウトの自由度を向上させることができる。また、サブダイヤルの追加に伴う視認性の低下を抑制した上で、機能性を向上させることができる。
【００５９】
本実施形態では、サブモータ４４の周波数を各モードで異ならせることで、１つのサブモータ４４によって各モードに応じた最適な周期でＣＧ針７，８を回転させることができる。これにより、簡素化や低コスト化を図るとともに、小型化を図ることができる。
【００６０】
本実施形態では、秒ＣＧ輪列８１及び分ＣＧ輪列８２がサブ五番車７１を介してサブモータ４４に接続されているため、各ＣＧ針７，８それぞれを１つのサブモータ４４により回転させることができる。これにより、秒ＣＧ輪列８１及び分ＣＧ輪列８２を別々のモータにより回転させる場合に比べて簡素化や低コスト化を図るとともに、小型化を図ることができる。
【００６１】
本実施形態では、各ＣＧ針７，８が互いに平行に延びる軸線上を回転可能に、秒ＣＧ輪列８１及び分ＣＧ輪列８２に取り付けられているため、各ＣＧ針７，８の視認性を向上させることができる。
【００６２】
本実施形態では、ＣＧモード及びＤＴモードのモード切替に応じて動作するモード表示針９を動作させるモード表示輪列７６を備えているため、現在のモードを速やかに判断でき、使い勝手を向上させることができる。
【００６３】
そして、本実施形態では、上述した表示機構を備えているため、部品点数の削減を図るとともに、文字板３上でのレイアウトの自由度を向上させ、視認性の低下を抑制した上で、機能性に優れたムーブメント２及び時計１を提供できる。
【００６４】
［第２実施形態］
次に、第２実施形態について説明する。図９は、ＣＧモードを示す時計２００の外観図である。図１０は、ＤＴモードを示す時計２００の外観図である。本実施形態では、各ＣＧ針７、８が同軸上に配置された点で上述した実施形態と相違している。なお、以下の説明では、上述した実施形態と同様の構成については同一の符号を付して説明を省略する。
図９，１０に示す時計２００において、文字板２０３上のうちメインダイヤル１１の６時位置には、サブダイヤル２１２が配置されている。各ＣＧ針７，８は、サブダイヤル２１２の中心を表裏面方向に延びる軸線周りに互いに回転可能に構成されている。
【００６５】
図１１は、ムーブメント２０２の断面図である。
図１１に示すムーブメント２０２において、秒ＣＧ輪列２８１は、第１秒ＣＧ中間車８３と、第２秒ＣＧ中間車８４と、秒ＣＧ車２８５と、を備えている。
秒ＣＧ車２８５のうち、秒ＣＧ歯車８５ａに対して裏側に位置する部分には秒ＣＧかな２８５ｃが形成されている。
【００６６】
分ＣＧ輪列２８２は、分ＣＧ中間車２９１と、分ＣＧ車２９３と、を備えている。
分ＣＧ中間車２９１は、地板３１及び裏輪列受３４に回転可能に支持されている。分ＣＧ中間車２９１の分ＣＧ歯車２９１ａは、秒ＣＧかな２８５ｃに噛合している。
【００６７】
分ＣＧ車２９３は、筒部２９３ａと、筒部２９３ａから張り出す分ＣＧ歯車２９３ｂと、を有している。
筒部２９３ａは、上述した秒ＣＧ真８５ｂと同軸上に配置されている。筒部２９３ａは、秒ＣＧ真８５ｂに対して回転可能に外挿されている。筒部２９３ａのうち文字板３よりも裏側に位置する部分には、分ＣＧ針８が取り付けられている。
分ＣＧ歯車２９３ｂは、分ＣＧ中間車２９１の分ＣＧ中間かな２９１ｂに噛合している。したがって、分ＣＧ車２９３は、秒ＣＧ輪列２８１の回転に伴い回転する。この場合、分ＣＧ輪列２８２は、ロータ５３（ロータかな）に対する分ＣＧ車２９３（分ＣＧ歯車２９３ｂ）の歯数比が１／３６０に設定されている。
【００６８】
本実施形態では、上述した第１実施形態と同様の構成を奏するとともに、以下の作用効果を奏する。
すなわち、各ＣＧ針７，８が同軸上に延びる軸線上を回転可能に、秒ＣＧ輪列２８１及び分ＣＧ輪列２８２に取り付けられているため、文字板３上におけるレイアウトの自由度をさらに向上させることができる。
【００６９】
なお、本発明の技術範囲は上述した実施形態に限定されるものではなく、本発明の趣旨を逸脱しない範囲において種々の変更を加えることが可能である。
例えば、上述した実施形態では、１つのサブモータ４４によって各ＣＧ針７，８を回転させる構成について説明したが、これに限らず、各ＣＧ針７，８を異なるモータで回転させても構わない。また、各モードを異なるモータで動作させても構わない。
【００７０】
上述した実施形態では、秒ＣＧ針７を６０秒又は６０分で１回転させ、分ＣＧ針８を１２分又は１２時間で１回転させる場合について説明したが、これに限られない。ロータかなに対する秒ＣＧ歯車や分ＣＧ歯車の歯数比を異ならせる等することで、各ＣＧ針７，８の周期は適宜変更することができる。この場合、例えば、分ＣＧ針８を２４分又は２４時間で１回転させることも可能である。
なお、各モードにおけるサブモータ４４の周波数は、適宜変更が可能である。例えば、上述した実施形態では、サブモータ４４が１秒又は１分ごとに１ステップ回転するように構成したが、１秒又は１分間に複数ステップ回転しても構わない。また、サブモータ４４の周波数を調整することで、分ＣＧ針８を６０分（ＣＧモード）又は２４時間（ＤＴモード）で１回転させることも可能である。
【００７１】
また、秒ＣＧ針７や分ＣＧ針８は、各モードを表示可能な構成であれば、回転動作に限られない。
さらに、各サブダイヤル１２，１３やモード表示部１４のレイアウトは適宜変更が可能である。
上述した実施形態では、ＣＧ針７，８を２つ備えた構成について説明したが、これに限らず、ＣＧ針は少なくとも１つ備えていればよく、３つ以上備えていても構わない。
上述した実施形態では、モード表示針９がＣＧ表示位置とＤＴ表示位置との間を回動する構成について説明したが、モード表示針９の動作方法は適宜変更が可能である。
【００７２】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００７３】
１，２００…時計
２，２０２…ムーブメント
３…文字板
４…時針（第１時刻針）
５…分針（第１時刻針）
６…秒針（第１時刻針）
７…秒ＣＧ針（サブダイヤル針、第１サブダイヤル針）
８…分ＣＧ針（サブダイヤル針、第２サブダイヤル針）
９…モード表示針（モード表示針）
４４…サブモータ
７１…サブ五番車
７５…ＣＧ輪列（サブ輪列、切替機構、表示機構）
７６…モード表示輪列（表示機構）
７７…筒車（メイン輪列、表示機構）
８１，２８１…秒ＣＧ輪列（第１サブ輪列）
８２，２８２…分ＣＧ輪列（第２サブ輪列）
１１０…制御部（切替機構）
【図１】
0006676414.tif 000002
【図２】
0006676414.tif 000003
【図３】
0006676414.tif 000004
【図４】
0006676414.tif 000005
【図５】
0006676414.tif 000006
【図６】
0006676414.tif 000007
【図７】
0006676414.tif 000008
【図８】
0006676414.tif 000009
【図９】
0006676414.tif 000010
【図１０】
0006676414.tif 000011
【図１１】
0006676414.tif 000012